(57)【要約】【課題】ベッド下及び両側の空間が狭くても設置可能であり、また天板の高さをベッドの高さに追従させることができ、天板上に物を載置した状態で移動することができ、更に、ベッドへの取り付け及び取り外しが容易なベッドテーブルを提供する。【解決手段】ベッドのサイドフレームに固定され又は着脱可能に支持された台座１３と、この台座に前記ベッドの長手方向に離隔して設けられた第１及び第２の支軸と、この第１及び第２の支軸に対しサイドフレームの長手方向に垂直の回転軸の周りに回転可能に連結された第１及び第２のアーム１４と、第１及び第２のアームの上端部がサイドフレームの長手方向に離隔した位置にて回転可能に連結された天板１１と、を有し、天板１１の表面がサイドフレームの長手方向に平行であり、第１及び第２のアーム１４の揺動に伴い天板１１がサイドフレームに平行の状態を保持してサイドフレームの長手方向に移動する。【選択図】図１
2010005115.tif 000002
【特許請求の範囲】
【請求項１】
ベッドのサイドフレームに固定され又は着脱可能に支持された台座と、この台座に前記ベッドの長手方向に離隔して設けられた第１及び第２の支軸と、この第１及び第２の支軸に対し前記サイドフレームの長手方向に垂直の回転軸の周りに回転可能に連結された第１及び第２のアームと、この第１及び第２のアームの上端部が前記サイドフレームの長手方向に離隔した位置にて回転可能に連結された天板と、を有し、前記天板の表面が前記サイドフレームの長手方向に平行であり、前記第１及び第２のアームの揺動に伴い前記天板が前記サイドフレームに平行の状態を保持して前記サイドフレームの長手方向に移動することを特徴とするベッドテーブル。
【請求項２】
前記第１のアーム及び前記第１の支軸は足部側に配置され、前記第２のアーム及び前記第２の支軸は頭部側に配置されており、前記第１のアームは直線状をなし、前記天板が最上位に位置しているときに、前記第１のアームは垂直姿勢になり、前記第２のアームは、その途中の部分が、前記第１のアームに平行に且つ垂直姿勢になるように、屈曲していることを特徴とする請求項１に記載のベッドテーブル。
【請求項３】
前記第１又は第２のアームのいずれか一方に設けられ、他のアーム又は前記台座に干渉して前記第１及び第２のアームの揺動域を規定するストッパーが設けられていることを特徴とする請求項２に記載のベッドテーブル。
【請求項４】
前記第１のアームに支持されたカバーを有し、前記第１又は第２のアームの揺動域にて少なくとも前記第２のアームにおける前記第１のアームに平行の部分を含む前記第１のアームと第２のアームとの間の領域が前記カバーで覆われていることを特徴とする請求項２又は３に記載のベッドテーブル。
【請求項５】
前記第１又は第２のアームの上端部に設けられ前記天板と前記第１又は第２のアームとを拘束して前記第１又は第２のアームの位置を固定するロック装置が設けられていることを特徴とする請求項２乃至４のいずれか１項に記載のベッドテーブル。
【発明の詳細な説明】
【技術分野】
【０００１】
本発明は、ベッドの左右のサイドフレームに設置されたベッドテーブルに関し、特に天板が水平状態を保持して移動するベッドテーブルに関する。
【背景技術】
【０００２】
ベッドテーブルは、ベッドに横たわるベッド利用者が上半身を起こしながら作業を行うか、又は食事をとるために使用される。従来のベッドテーブルとしては、床面との間に車輪を介してベッドテーブルの脚部を配置し、この脚部上に配置されたアームの上に天板を配置することによって、脚部、アーム及び天板が略コの字を形成するように構成したサイドテーブルが用いられている（特許文献１）。また、サイドテーブルをこのように構成することによって、ベッドテーブルをベッドの周囲において移動することが可能であることが特許文献１に開示されている。
【０００３】
また、テーブルの天板を支持するための脚部をベッドの両サイドフレームの外側に配置し、脚部間の上部に天板を架設してテーブルがベッド本体を跨ぐようにし、この脚部をベッドの前後方向に移動することが可能であるように構成することによって、テーブルを使用しないときはベッド本体の後縁部にテーブルを収納することができるように構成したオーバーベッドテーブルが用いられている（特許文献２及び３）。特許文献２には、ベッド本体を跨ぎ、可動式の第１テーブル及びこの第１テーブルを入れ子式に収納する第２テーブルとから構成されるベッドシステムが開示され、オーバーベッドテーブルをこのように構成することによって、ベッド利用者が適した高さのオーバーベッドテーブルを選択することができることが開示されている。また、特許文献３には、テーブルの天板を支持するための脚部の下端に摺動部材を設けると共に、ベッドのサイドフレームにガイド杆を設け、摺動部材をガイド杆に沿って移動可能に取り付けることによって、ベッド上方を天板が前後に移動することができるように構成したオーバーベッドテーブルが開示されている。
【０００４】
また、医療用又は介護用のベッドの左右のサイドフレームには、ベッド利用者がベッドから転落するのを防止するための柵等が設けられることがあるが、ベッドの左右に設けられたこの柵間に天板を架設するように構成したオーバーテーブルが用いられている（特許文献４）。
【０００５】
【特許文献１】特開平５−１６１５１０号公報
【特許文献２】特開２００７−１９０１８８号公報
【特許文献３】登録実用新案第２５６７９５７号公報
【特許文献４】特開２００２−１７４５８号公報
【発明の開示】
【発明が解決しようとする課題】
【０００６】
しかしながら、前述の従来技術には以下のような問題点がある。
【０００７】
特許文献１に記載のサイドテーブルは、脚部、アーム及び天板が略コの字を形成するように構成されているため、脚部が床面において天板側に張り出しており、この張り出した脚部をベッド下の空間に差し込んで使用する必要があるため、ベッド下に脚部を差し込むための十分な空間がないベッドについては使用できないものである。
【０００８】
また、オーバーベッドテーブルは、医療施設で用いられる電動ベッド等、ベッドの高さが可変に設けられている場合においては、テーブルの高さがベッドの高さの変化に追従しないため、テーブルの使い勝手がベッドの高さによって変化したりテーブルの高さをベッドの高さに合わせて調整する必要があるという問題点がある。特許文献２に記載されたベッドシステムは、ベッド利用者が２種類の高さの天板を有するオーバーベッドテーブルを選択することが可能であるが、脚部を前後方向に移動するための空間がベッドの両側に必要であるばかりでなく、ベッドシステムを第１テーブルと第１テーブルを入れ子式に収納する第２テーブルとによって構成しているため、ベッドの両側に必要とされる空間が更に増大する。従って、ベッドと壁との距離が近い場合や、医療施設及び在宅介護等、ベッドの傍らの介助者のための空間を確保する必要のある場合においては、使用に適さない。
【０００９】
更に、特許文献３に記載されたオーバーベッドテーブルは、テーブルの脚部下端に設けられた摺動部材がベッドのサイドフレームに設けられたガイド杆に取り付けられるため、ベッドの高さが可変の場合においてもその高さの変化にテーブルの高さを追従させることが可能である。しかしながら、ベッドのサイドフレームにガイド杆を設置する必要があるため、従来使用されているベッドにこのオーバーベッドテーブルを設置することはできない。また、特許文献３に記載されたオーバーベッドテーブルは構造が複雑であり、一度ベッドに設置されるとサイドフレームと一体化してしまうため、テーブルの取り付け及び取り外しを自由に行うことができないという問題点がある。
【００１０】
更にまた、特許文献４に記載されたオーバーテーブルは、ベッドの左右の側縁に柵が設けられた場合にのみ使用することができるものである。また、天板の上に物を置いたままテーブルを移動させることが困難である。更に、特許文献１及び４に記載されたテーブルは、テーブルが不要なとき又はベッド利用者がベッドから降りる際に、テーブルをベッドから遠ざける若しくは取り外す必要があるため、ベッド上においてテーブルを取り回す手間がかかるという問題点がある。
【００１１】
本発明はかかる問題点に鑑みてなされたものであって、ベッド下及び両側の空間が狭くても設置可能であり、また天板の高さをベッドの高さに追従させることができ、天板上に物を載置した状態で移動することができ、更に、ベッドへの取り付け及び取り外しが容易なベッドテーブルを提供することを目的とする。
【課題を解決するための手段】
【００１２】
本発明に係るベッドテーブルは、ベッドのサイドフレームに固定され又は着脱可能に支持された台座と、この台座に前記ベッドの長手方向に離隔して設けられた第１及び第２の支軸と、この第１及び第２の支軸に対し前記サイドフレームの長手方向に垂直の回転軸の周りに回転可能に連結された第１及び第２のアームと、この第１及び第２のアームの上端部が前記サイドフレームの長手方向に離隔した位置にて回転可能に連結された天板と、を有し、前記天板の表面が前記サイドフレームの長手方向に平行であり、前記第１及び第２のアームの揺動に伴い前記天板が前記サイドフレームに平行の状態を保持して前記サイドフレームの長手方向に移動することを特徴とする。
【００１３】
更に、前記第１のアーム及び前記第１の支軸は足部側に配置され、前記第２のアーム及び前記第２の支軸は頭部側に配置されており、前記第１のアームは直線状をなし、前記天板が最上位に位置しているときに、前記第１のアームは垂直姿勢になり、前記第２のアームは、その途中の部分が、前記第１のアームに平行に且つ垂直姿勢になるように、屈曲していることが好ましい。
【００１４】
更に、前記第１又は第２のアームのいずれか一方に設けられ、他のアーム又は前記台座に干渉して前記第１及び第２のアームの揺動域を規定するストッパーが設けられていてもよい。
【００１５】
更に、前記第１のアームに支持されたカバーを有し、前記第１又は第２のアームの揺動域にて少なくとも前記第２のアームにおける前記第１のアームに平行の部分を含む前記第１のアームと第２のアームとの間の領域が前記カバーで覆われていることが好ましい。
【００１６】
更に、前記第１又は第２のアームの上端部に設けられ前記天板と前記第１又は第２のアームとを拘束して前記第１又は第２のアームの位置を固定するロック装置が設けられていることが好ましい。
【発明の効果】
【００１７】
本発明によれば、ベッドテーブルの台座がベッドのサイドフレームに固定され又は着脱可能に支持されるため、ベッド幅以上の横幅を必要とせず、ベッド下及びベッドの両側の空間が狭くてもベッドテーブルを設置することが可能である。また、本発明のベッドテーブルによれば、床面からのベッドの高さが変化しても、天板のベッドからの高さはベッドの高さには依存せず一定であるので、ベッド利用者の使い勝手がベッドの高さによって変化することがない。更に、天板をサイドフレームに対して平行の状態を保持して移動させることが可能であるため、テーブルが不要なとき又はベッド利用者がベッドから降りる際には、上に物を載置した状態で天板を移動させるだけでよい。更にまた、ベッドテーブルが天板と、第１及び第２のアームが夫々連結された２本の台座とに３分割されて構成されているため、ベッドへの取り付け及び取り外しが容易である。
【発明を実施するための最良の形態】
【００１８】
以下、本発明の実施形態について、添付の図面を参照して具体的に説明する。図１は本実施形態のベッドテーブルの側面図、図２は本実施形態のベッドテーブルの天板及び支持部材の一部を示す斜視図、図３はベッドのオプション部品取付部材を示す斜視図、図４（ａ）は本実施形態のベッドテーブル及びベッドのオプション部品取付部材を示す側面図、図４（ｂ）は本実施形態のベッドテーブルにおける台座の取付部を示す斜視図、図５（ａ）乃至（ｄ）は本実施形態のベッドテーブルの取付部を示す断面図、図６は本実施形態のベッドテーブルにおける支持部材、台座、アーム及びロック装置の一部を示す斜視図、図７は本実施形態のベッドテーブルにおけるロック装置を示す斜視図、図８は本実施形態のベッドテーブルにおけるロック装置を示す断面図、図９は本実施形態のベッドテーブルにおける保護カバーを示す斜視図である。
【００１９】
図１に示すように、本実施形態のベッドテーブル１は、天板１１及び脚部１０によって構成されており、脚部１０は支持部材１２、台座１３、アーム１４、保護カバー１５によって構成されている。
【００２０】
天板１１は木材、樹脂、又はアルミニウム等の金属製の方形若しくはベッドの左右方向に長手方向を有する楕円等の形状で、ベッド上の利用者はこの天板上に食事及び本等を載置してテーブルとして使用することができる。また、天板１１の下面には後述する支持部材１２を固定するためのネジ孔が設けられている。本実施形態において、天板１１は方形又は楕円形であるが、ベッド利用者の利便性を考慮して、天板を一部切り取ったり、一部下方に突出させてカップホルダーを設けたりしてもよく、ベッド上の利用者がベッドテーブルを使用する際に不自由を感じない範囲の形状変更を行ってもよい。
【００２１】
支持部材１２は鉄等の金属、樹脂、又は木材製で、図２（ｂ）に示すように断面円形等のパイプ状をなしているか、又は図２（ａ）に示すように、板材を長手方向に沿って折り曲げて両フランジと矩形パイプ部分とをもつ形状に加工したものである。この支持部材１２は天板１１の長手方向両端部付近の下面に、夫々その長手方向が天板１１の長手方向に直交するように配置されている。また、支持部材１２が円形パイプ状の場合には支持部材１２をその下方から鉛直方向の上方にボルト又はネジ１２ａを貫通させ、このボルト又はネジ１２ａを天板１１の下面にねじ込むことにより支持部材１２を天板１１に固定する。一方、支持部材１２が角筒状をなす場合には、天板１１に重なるフランジ部分にボルト又はネジ１２ａを挿通させて、天板１１下面にボルト又はネジ１２ａを締結することによって、支持部材１２が天板１１に固定されている。また、支持部材１２は天板１１の長手方向に対して垂直な面に、後述するアーム１４を挿通するための連結孔１２ｂがアーム１４の外径より大きな径で設けられている。更に、支持部材１２の１つの長手方向端部には、開口部１２ｃが設けられ、図６に示すようにこの開口部１２ｃに後述するロック装置１６が支持部材１２の長手方向に沿って嵌めこまれている。このロック装置１６には連結孔１２ｂと向かい合う面において、アーム１４を挿通するための連結孔１６０ａが設けられている。なお、本実施形態の支持部材１２はボルト又はネジ１２ａを天板１１下面のネジ孔に締結することによって天板１１に固定されているが、支持部材１２の天板１１支持部付近に突起を設けると共に、天板１１に溝を設け、この溝が支持部材１２の突起を嵌合することによって、支持部材１２が天板１１に固定されるようにしてもよい。また、本実施形態の支持部材１２は天板１１の下面の長手方向両端部付近において１箇所ずつ配置されているが、図２（ｃ）に示すように後述するアーム１４が連結される位置に合わせて天板１１の下面において夫々分割して設けられてもよい。
【００２２】
台座１３は図４（ａ）に示すように鉄等の金属、樹脂、又は木材製の円筒、角筒、角材若しくは板材からなる支持部１３０、ベッドのサイドフレームに取り付けるための取付支持部１３１及び取付部１３２、後述するアーム１４を連結するための連結片１３３によって構成されている。支持部１３０の下面には長手方向の両端部付近に夫々孔が設けられ、この孔に円筒状の取付支持部１３１が挿入されると共に、支持部１３０の下面に溶接によって固定されている。この支持部１３０の上面における取付支持部１３１の円筒軸にあたる位置には貫通孔が設けられ、この貫通孔に取付部１３２の軸１３２ａが挿通されている。また、図４（ｂ）に示すように、取付部１３２はネジ頭１３２ｄと支持部１３０の上面との間において支持部１３０側にワッシャを介して緩み止め用のバネ座金１３２ｃが設けられている。取付部１３２の軸１３２ａの先端には、図５（ａ）乃至（ｄ）に示すようにネジ部１３２ｅが設けられ、このネジ部１３２ｅに取付支持部１３１の外径と同径の円柱状の押止片１３２ｂが螺嵌されているため、取付部１３２は取付支持部１３１から外れずに保持されている。また、支持部１３０の上面には金属製の板片を図６に示すようにコの字状に曲げて成形された連結片１３３が２箇所配置され、対向する２面を支持部１３０の長手方向に対して平行にして、この２つの面を繋ぐ面において支持部１３０の上面に溶接されるか、又はボルト等によって固定されている。この連結片１３３の対向する２面には夫々後述するアーム１４をボルトによって連結するための連結孔１３３ａが設けられている。
【００２３】
図５（ａ）乃至（ｄ）は本実施形態のベッドテーブルにおける台座の取付部を示す断面図であり、図４（ｂ）に示す斜視図におけるＸ方向から見た断面を図５（ａ）及び（ｂ）に、Ｙ方向から見た断面を図５（ｃ）及び（ｄ）に示す。また、図５（ａ）のＸ方向断面には図５（ｃ）のＹ方向断面が対応し、図５（ｂ）のＸ方向断面には図５（ｄ）のＹ方向断面が対応する。図５（ａ）乃至（ｄ)に示すように、取付支持部１３１の押止片１３２ｂ側の端部は取付支持部１３１の円筒軸に対して傾斜して設けられ、押止片１３２ｂの取付支持部１３１側の端部は押止片１３２ｂの円柱軸に対して傾斜した面となるように設けられている。そして、図５（ａ）及び（ｃ）に示すように、押止片１３２ｂが取付部１３２のネジ部１３２ｅの先端に螺嵌された状態において、取付支持部１３１の円筒軸と押止片１３２ｂの円柱軸は平行となり、押止片１３２ｂの側面は取り付け支持部の外面と同一曲面を形成するように設けられている。
【００２４】
ベッドのサイドフレームには、図３に示すようにオプション部品取付部材２が設けられている。このオプション部品取付部材２は、樹脂、金属又は木材製のオプション取付ベース２０がベッド３のベッドの前後方向に同一の左右のサイドフレーム３１夫々に並んで固定されている。図４（ａ）に示すようにオプション取付ベース２０の上面には取付孔２１が設けられ、押止片１３２ｂが取付部１３２のネジ部１３２ｅの先端に螺嵌された状態でこの取付孔２１に挿通される。そして、取付部１３２のネジ頭１３２ｄを介して軸１３２ａを回転させると、軸１３２ａに螺嵌された押止片１３２ｂは軸１３２ａ先端に設けられたネジに沿って上方へと移動する。上述の如く、取付支持部１３１の押止片１３２ｂ側の端部は取付支持部１３１の円筒軸に対して傾斜して設けられ、押止片１３２ｂの取付支持部１３１側の端部は押止片１３２ｂの円柱軸に対して傾斜した面となるように設けられているため、押止片１３２ｂは、取付支持部１３１に接触した後、取付支持部１３１の傾斜面に対して接触しながら取付支持部１３１の軸に対して偏心しながら上方へと移動する。また、押止片１３２ｂの側面は取付支持部１３１との境界に沿って押止片１３２ｂが上方へと移動するのに伴って、取付支持部１３１の側面に対して外方にずれを生じるようになる。そして、図５（ｄ）に示すように取付支持部１３１の外面及び押止片１３２ｂの側面が取付孔２１の内面に接触すると、取付支持部１３１の外面及び押止片１３２ｂの側面と取付孔２１の内面とが面接触し、取付支持部１３１及び押止片１３２ｂの側面が取付孔２１の内面を押圧するようになるため、この押圧力によって脚部１０がオプション部品取付部材２に固定される。
【００２５】
アーム１４は、鉄等の金属、樹脂、又は木材製のパイプ若しくは断面円形の棒材で、図６に示すようにその一方の端は滑らかな円弧を介して折り曲げられ、折り曲げられた側の先端には円形断面の中心と同軸の方向にネジ部１４１が設けられている。このアーム１４の折り曲げられた側の端は前述の支持部材１２に設けられた連結孔１２ｂに挿通され、頭部の径が連結孔１２ｂの径より大きいボルトをネジ部１４１に締結するか、又は連結孔１２ｂの径より大きな外径を有するワッシャを介してボルトをネジ部１４１に締結することによって、アーム１４は支持部材１２に連結される。また、前述の如く支持部材１２に設けられた連結孔１２ｂはアーム１４の外径より大きいため、アーム１４は連結孔１２ｂに挿通された円筒軸を中心に円滑に回転することが可能である。また、この支持部材１２に挿通される側のアーム１４の一つには、支持部材１２に挿入される部分の側面において、後述するロック装置１６のプランジャピン１６１に設けられた係止部１６１ａを挿入するための係止孔１４３が設けられている。更に、アーム１４の他方の端にはその先端に連結部１４２が設けられており、この連結部１４２には連結孔１４２ａが、前述の台座１３の連結片１３３に設けられた連結孔１３３ａと同等の径を有し、且つ中心軸が前述の連結孔１２ｂに挿通されたアーム１４の円筒軸と平行に設けられている。この連結孔１４２ａの位置を台座１３の連結片１３３に設けられた連結孔１３３ａに合わせ、連結孔１３３ａ及び１４２ａにボルトを挿通し、ボルト先端にてナットを締結することによって、アーム１４は台座１３に連結される。なお、ボルト頭の外径及びナット外径は連結孔１３３ａ及び１４２ａより大きく設けられるか、又は連結孔１３３ａ及び１４２ａの径より大きな外径のワッシャをボルト頭側及びナット側に配置してこのワッシャを介してボルトにナットが締結されることによって、アーム１４は連結片１３３から外れることがない。また、ボルトの軸は連結孔１３３ａ及び１４２ａの挿通部においてネジなし部が設けられているため、アーム１４はボルトの軸を中心に円滑に回転することが可能である。
【００２６】
上述のアーム１４は、台座１３の長手方向に並んで２本配置され、夫々が支持部材１２及び台座１３に回転可能に連結されている。また、各アーム１４は、支持部材１２及び台座１３における回転軸間を結ぶ直線が平行且つ等距離となるように設けられている。そして、支持部材１２に固定される天板１１は台座１３の長手方向に対して平行である。即ち、支持部材１２上に固定される天板１１の上面は台座１３の長手方向に対して平行が維持されて、支持部材１２及びアーム１４を介して台座１３に連結されている。なお、アーム１４ａは本発明の第１のアーム、アーム１４ｂは本発明の第２のアームである。一方のアーム１４ａは図１に示すように長手方向中央部において直線状に設けられ、他方のアーム１４ｂは長手方向中央部において２箇所折り曲げられていると共に、連結部１４２側の折り曲げ位置近傍にはアーム１４ａ側にストッパー１４ｃが設けられている。そして、アーム１４ａ及び１４ｂの回転移動によって天板が最上位に位置しているときに、直線状のアーム１４ａは垂直姿勢になり、他方のアーム１４ｂの屈曲部分は直線上のアーム１４ａに平行且つ垂直姿勢となるように設けられている。また、アーム１４ｂの２箇所の折り曲げ位置はアーム１４ｂの支持部材１２及び台座１３におけるアーム１４ｂの連結軸を含む平面よりも直線状のアーム１４ａ側となるように設けられている。アーム１４ｂに設けられたストッパー１４ｃは、アーム１４ｂに固定されることによって、連結片１３３におけるアーム１４ｂの回転軸周りに回転し、図１（ａ）及び（ｃ）に示すように設定された回転角度において台座１３又はアーム１４ａに当接（干渉）することによってアーム１４ｂの揺動域が規定されるように設けられている。具体的には、天板１１が最上位にある状態からアーム１４が揺動して図１（ａ）に示すようにストッパー１４ｃが台座１３に当接するか、又は天板１１が最上位にある状態からアーム１４が揺動して図１（ｃ）に示すようにストッパー１４ｃがアーム１４ａに当接すると、アーム１４がそれ以上揺動することが規制されるため、アーム１４の揺動に伴う天板１１のベッドの前後方向の位置が規定される。また、本実施形態のアーム１４は、台座あたり２本ずつ設けられているが、各アームの支持部材１２及び台座１３における回転軸間を結ぶ直線が平行且つ等距離となるように設けられていれば、アーム１４の１本あたりの強度不足又は天板の揺動発生等を防ぐために、アーム１４の本数を増やしてもよい。
【００２７】
前述の如く、２本のアーム１４ａ及び１４ｂは支持部材１２及び台座１３における回転軸間を結ぶ直線が平行且つ等距離となるように連結されているため、天板１１は上面が水平を保ったまま台座１３が設置されるベッドのサイドフレームの長手方向に移動することができる。なお、長手方向の途中の部分を２箇所折り曲げられたアーム１４ｂの屈曲位置又はアーム１４ｂ全体を直線状のアーム１４ａ側に近接させると共に、ストッパー１４ｃを外すことによって、設定された回転角度においてアーム１４ｂの屈曲部が台座１３又は直線状のアーム１４ａに当接することによって、アーム１４ｂの揺動域が規定されるようにしてもよい。また、本実施形態において、ストッパー１４ｃはアーム１４ｂ側に固定されているが、アーム１４ａ側にストッパーを設け、このストッパーが設定された回転角度において台座１３又はアーム１４ｂに当接することによってアーム１４ａの揺動域が規定されるようにしてもよい。
【００２８】
本実施形態のベッドテーブルによれば、天板１１の上面が水平を保ったまま平行移動することが可能であるため、テーブルが不要なときは上に物を載置した状態で天板の位置を移動することができる。また、台座１３に連結される２本のアームのうち、一方のアーム１４ｂがその長手方向の途中において折り曲げられており、ベッドテーブル全体が大きな空間を必要としない単純な構造であるため、屈曲部を有する側のアームをベッド利用者の頭側に向けてベッドに設置すれば、ベッド上からベッド利用者が降りる際にアームがベッド利用者の足に当たってベッド利用者の動作を邪魔したり、アームがベッド利用者に当たった衝撃によって天板上の物が落下することを防止することができる。更に、脚部１０がベッドのサイドフレームに対して直接固定されるため、ベッドの高さが可変に設けられた場合においても天板の高さがベッドの高さの変化に追従し、ベッド上の利用者に対する天板の相対的位置及び高さを変化させることがないため、ベッドの高さの変化によってベッド利用者のベッドテーブルの使い勝手が変化することがない。また、本実施形態のベッドテーブルはベッド下及び両側にテーブルを設置する空間を必要としないため、ベッドの機構によらず本実施形態のベッドテーブルを使用することができる。更にまた、アーム１４の揺動域を規定するストッパーのアームに対する固定位置を変更するか、又はアームの長さ若しくは形状を変更するだけで天板の位置及び高さを変更することが可能であるため、ベッド上の利用者の体格によらず本実施形態のベッドテーブルを適用することができる。更にまた、本実施形態のベッドテーブルは、天板１１並びに支持部材１２、台座１３、及びアーム１４を連結した脚部１０によって構成されているため、ベッドの両サイドフレームに脚部を固定してから天板１１を脚部に固定するだけで組み立てることが可能である。更に、本実施形態のベッドテーブルは台座の取付支持部１３１をベッドのサイドフレームに設けられたオプション部品取付部材の取付孔２１に挿通し、取付部１３２のネジ頭１３２ｄを回転させるだけで、取付支持部１３１及び押止片１３２ｂが取付孔２１の内面を押圧することにより脚部１０をベッドに取り付けることが可能であるため、組み立てだけでなくベッドからの取り外しも容易である。
【００２９】
保護カバー１５は、樹脂、木材、又はアルミニウム等の金属からなり、断面が長円の筒であるか、又はこの筒の片側の曲面の一部を高さ方向に沿って切り欠いた形状である。図１に示すように保護カバー１５の高さ方向は、前述の直線状のアーム１４ａの直線部に対して平行に設けられている。また、保護カバー１５の内側は図９に示すように保護カバーの高さ方向に対して垂直な断面においてアーム１４ａの外径より大きい径の弧とアーム１４ｂの外径より大きい径の弧を２本の直線で結んだ形状であり、この保護カバー１５に直線状のアーム１４ａ及び屈曲部を有するアーム１４ｂが挿通されている。即ち、保護カバー１５の内面はアーム１４ａの直線部における外面に対向する曲面１５ａ、及びアーム１４ｂのアーム１４ａに対して平行の直線部における外面に対向する曲面１５ｂが２枚の平面１５ｃで連結された面である。また、アーム１４ａ側の曲面１５ａと平面１５ｃとの交叉部近傍には、保護カバーの内側に突出して突出部１５ｄが設けられており、この突出部１５ｄと曲面１４ａとの間にアーム１４ａの直線部が保持されることによって、保護カバー１５はアーム１４ａの直線部に対して平行に移動可能に支持されている。また、保護カバー１５はアーム１４ａ及び１４ｂの揺動域にて少なくともアーム１４ｂにおけるアーム１４ａに平行の部分を含むアーム１４ａとアーム１４ｂとの間の領域が保護カバー１５で覆われるように設けられている。なお、本実施形態の保護カバーは断面が略長円の筒であり、保護カバーに片方のアームが保持されることによってこのアームに対して他方のアームが保護カバー内で相対的に移動可能となるように設けられているが、平行リンク機構による天板の移動に伴って各アーム間の距離が縮まり、テーブルの利用者がこのアーム間に手足等を挟む危険がある範囲において、保護カバーがこのアーム間を覆ってさえいれば、保護カバー１５の断面は他の形状であってもよく、また、保護カバーが片方のアームに支持されていなくてもよい。
【００３０】
前述の支持部材１２の端部に嵌着されたロック装置１６は、図８に示すようにキャップ部１６０が支持部材１２に嵌合されている。また、このキャップ部１６０において、支持部材１２の連結孔１２ｂと向かい合う位置に、アーム１４を挿通するための連結孔１６０ａが設けられている。更に、支持部材１２への挿入方向に対して垂直の支持部材１２と逆のキャップ部１６０の側面には、円筒状の外面に突起１６０ｆを備えた操作ガイド１６０ｅが設けられている。この操作ガイド１６０ｅは、円筒軸を支持部材１２への挿入方向と平行に設けられ、突起１６０ｆは長手方向を操作ガイド１６０ｅの円筒軸と平行にキャップ部１６０から延びている。この突起１６０ｆは、後述する操作ノブ１６２の有底円筒状の側面に設けられたスリット１６２ｂの内側に嵌めこまれている。そして、この操作ガイド１６０ｅが操作ノブ１６２の円筒内面側に挿入されて、操作ノブ１６２は操作ガイド１６０ｅの円筒外面に支持され、突起１６０ｆによって係止されている。更にまた、キャップ部１６０は、支持部材１２への挿入方向に対して垂直な面から支持部材１２への挿入方向に沿って貫通して貫通孔１６０ｂが設けられており、この貫通孔１６０ｂの途中には押さえリブ１６０ｃが設けられている。この押さえリブ１６０ｃには、操作ガイド１６０ｅの円筒軸を中心に孔１６０ｄが設けられ、この孔１６０ｄにはプランジャピン１６１が挿通されている。
【００３１】
プランジャピン１６１は、棒状又は筒状の一方の端部付近の側面にフランジ１６１ｂが設けられ、フランジ１６１ｂ側の端部には係止部１６１ａが設けられている。この係止部１６１ａは、前述のアーム１４の１つに設けられた係止孔１４３に挿通されてアーム１４を係止し、アーム１４が支持部材１２の周りを揺動することを阻止する。また、プランジャピン１６１の他方の端部付近の側面にはピン孔１６１ｃが設けられている。そして、貫通孔１６０ｂに操作ガイド１６０ｅと逆側からピン孔１６１ｃ側のプランジャピン１６１が挿入される。更に、プランジャピン１６１の側面には、押さえリブ１６０ｃとフランジ１６１ｂとの間に圧縮バネ１６３が嵌めこまれている。この圧縮バネ１６３の外径は、プランジャピン１６１を挿入した状態で押さえリブの孔１６０ｄの径より大きく、且つプランジャピンのフランジ１６１ｂの外径より小さいため、プランジャピン１６１を押さえリブの孔１６０ｄに挿入すると、圧縮バネ１６３によりプランジャピンのフランジ１６１ｂは押さえリブ１６０ｃから遠ざかる方向に付勢される。
【００３２】
操作ノブ１６２は、操作ガイド１６０ｅの円筒部外径より大きな開口を有する有底円筒状の本体の内部に、内面に沿ってプランジャピン１６１を保持するための溝を備える保持部１６２ａが設けられ、底部は円筒側面より若干大きな径で円筒側面より突出して設けられている。また、操作ノブ１６２の円筒側面は、前述の如く操作ガイドの突起１６０ｆの位置に合わせて突起１６０ｆより若干大きな寸法にてスリット１６２ｂが設けられている。更に、操作ノブ１６２の円筒部の内径は操作ガイド１６０ｅの円筒部外径より大きく設けられ、保持部１６２ａは操作ガイド１６０ｅの円筒部内径より小さく設けられているため、操作ノブのスリット１６２ｂの位置を操作ガイドの突起１６０ｆの位置に合わせて操作ノブ１６２を操作ガイド１６０ｅの円筒軸に沿って挿入することにより、操作ノブ１６２が操作ガイド１６０ｅによって支持され、突起１６０ｆによって係止される。また、操作ノブ１６２は操作ガイド１６０ｅの円筒軸に沿って移動することが可能である。更に、操作ノブ１６２には、保持部１６２ａの内面から円筒部外面にかけてピン孔１６２ｃが設けられている。このピン孔１６２ｃは、プランジャピン１６１を操作ノブ１６２ａの溝に挿入した状態でプランジャピンのピン孔１６１ｃと同軸となるように、且つピン孔１６１ｃと同等の大きさで設けられている。そして、操作ガイド１６０ｅの円筒部が操作ノブ１６２内に挿入され、更にプランジャピン１６１が保持部１６２ａの溝内に保持された状態で、ピン孔１６１ｃ及び１６２ｃに固定ピン１６４が挿着されることによって、プランジャピン１６１及び操作ノブ１６２は、操作ノブ１６２の円筒軸方向に移動可能にキャップ部１６０に固定される。また、図７（ｂ）及び（ｃ）に示すように操作ノブ１６２の円筒部側端が突起１６０ｆの端部の位置にくるまで円筒軸方向に移動され、操作ノブ１６２が円筒軸を中心に回転すると、操作ノブ１６２に連結されたプランジャピン１６１は圧縮バネ１６３によって操作ノブ１６２がキャップ部１６０側に引っ張られる方向に弾性力を受けるため、操作ノブ１６２はキャップ部１６０側に円筒軸に沿って引っ張られ、操作ノブ１６２の円筒部側端が突起１６０ｆの端部に突き当たって、操作ノブ１６２は操作ガイド１６０ｅ及び突起１６０ｆに支持される。
【００３３】
前述の如く、アーム１４の１本には支持部材１２に挿通される部分の側面に係止孔１４３が設けられており、このアーム１４が連結されている支持部材１２の端部にロック装置１６が装着されている。そして、アーム１４の係止孔１４３がプランジャピン１６１の係止部１６１ａの位置にくるまでアーム１４が揺動すると、プランジャピンの係止部１６１ａが圧縮バネ１６３の弾性力によってアームの係止孔１４３に挿通されてアーム１４を係止し、アーム１４の支持部材１２周りの揺動が阻止される。また、操作ノブ１６２が操作ガイド１６０ｅの円筒軸に沿って移動することによって係止部１６１ａがアームの係止孔１４３から外れ、アーム１４の揺動が解除される。更に、操作ノブ１６２の円筒部側端が突起１６０ｆによって支持されると、プランジャピン１６１を介した操作ノブ１６２によるアーム１４の係止が常時解除されるため、アーム１４は常時揺動することができる。即ち、操作ノブ１６２が操作ガイド１６０ｅに沿って移動することによって、アーム１４の揺動に対する阻止又は解除が選択される。
【００３４】
上述の如く、本実施形態のベッドテーブルはアーム間に保護カバーが設けられ、この保護カバーが片方のアームに対する他方のアームの平行部分の相対的な全可動範囲を覆っているため、天板の平行移動に伴ってアーム間の距離が縮まった場合においても、テーブルの利用者がこのアーム間に手足等を挟む危険性がない。また、ベッドテーブルの支持部材１２にロック機構が設けられているため、テーブルに物体が衝突したり、ベッド上の利用者がテーブルに接触した場合においても、アームの揺動が阻止されることによって天板が平行移動しないようにロックされ、天板上に載置される物が振動によって落下したり、倒れることを防止することができる。
【図面の簡単な説明】
【００３５】
【図１】（ａ）乃至（ｃ）は本実施形態のベッドテーブルの側面図である。
【図２】（ａ）乃至（ｃ）は本実施形態のベッドテーブルの天板及び支持部材の一部を示す斜視図である。
【図３】ベッドのオプション部品取付部材を示す斜視図である。
【図４】（ａ）は本実施形態のベッドテーブル及びベッドのオプション部品取付部材を示す側面図、（ｂ）は取付部を示す。
【図５】（ａ）乃至（ｄ）は本実施形態のベッドテーブルの取付部を示す断面図である。
【図６】本実施形態のベッドテーブルにおける支持部材、台座、アーム及びロック装置の一部を示す斜視図である。
【図７】（ａ）乃至（ｃ）は本実施形態のベッドテーブルにおけるロック装置を示す斜視図である。
【図８】本実施形態のベッドテーブルにおけるロック装置を示す断面図である。
【図９】（ａ）及び（ｂ）は本実施形態のベッドテーブルにおける保護カバーを示す斜視図である。
【符号の説明】
【００３６】
１：ベッドテーブル、１０：脚部、１１：天板、１２：支持部材、１２ａ：ボルト又はネジ、１２ｂ：連結孔、１２ｃ：開口部、１３：台座、１３０：支持部、１３１：取付支持部、１３２：取付部、１３２ａ：軸、１３２ｂ：押止片、１３２ｃ：バネ座金、１３２ｄ：ネジ頭、１３２ｅ：ネジ部、１３３：取付片、１３３ａ：連結孔、１４、１４ａ、１４ｂ：アーム、１４ｃ：ストッパー、１４１：ネジ部、１４２：連結部、１４２ａ：連結孔、１４３：係止孔、１５：保護カバー、１５ａ、１５ｂ：曲面、１５ｃ：平面、１５ｄ：突出部、１６：ロック装置、１６０：キャップ部、１６０ａ：連結孔、１６０ｂ：貫通孔、１６０ｃ：押さえリブ、１６０ｄ：孔、１６０ｅ：操作ガイド、１６０ｆ：突起、１６１：プランジャピン、１６１ａ：係止部、１６１ｂ：フランジ、１６１ｃ：ピン孔、１６２：操作ノブ、１６２ａ：保持部、１６２ｂ：スリット、１６２ｃ：ピン孔、１６３：圧縮バネ、１６４：固定ピン、２：オプション部品取付部材、２０：オプション取付ベース、２１：取付孔、３：ベッド、３１：サイドフレーム
【図１】
2010005115.tif 000003
【図２】
2010005115.tif 000004
【図３】
2010005115.tif 000005
【図４】
2010005115.tif 000006
【図５】
2010005115.tif 000007
【図６】
2010005115.tif 000008
【図７】
2010005115.tif 000009
【図８】
2010005115.tif 000010
【図９】
2010005115.tif 000011